(57)【要約】【課題】浴槽内の使用済み風呂水を再使用すべくこの風呂水の中に浴槽内底部付近に滞留する湯垢や汚れ水を除く浴槽内の風呂水清浄器具に関する技術を提供する。【解決手段】浴槽内の風呂水清浄器具９は湯水や湯垢を吸引するサイホン式手動ポンプで構成され、大概すれば浴槽内に溜めている湯水に差入れる吸入管９Ａと、該吸入管９Ａから湯水や湯垢ａを吸上げる蛇腹状作動筒９Ｂと、前記吸入管９Ａの上端部と蛇腹状作動筒９Ｂの下端部との接続部分１０に接続しかつ湯水や湯垢ａを外部に排出する吐出ホース９Ｃとで構成している。該蛇腹状作動筒９Ｂは例えば樹脂材料で表面が一連に凹凸状に形成した袋体で構成され、人の握力により収縮可能に作製されている。該吐出ホース９Ｃには柔軟性金属等で構成したユニバーサル方向柔軟管１１を備え、前記接続部分１０に接続した構成する。【選択図】図１
0003136087.tif 000002
【実用新案登録請求の範囲】
【請求項１】
サイホン式手動ポンプの蛇腹状作動筒に接続する吸入管から浴槽内の風呂水に浴槽内底部付近に滞留する湯垢を吸上げて吐出ホースから排出する浴槽内の風呂水清浄器具に於いて、前記吸入管が単一又は複数個を着脱可能な吸入管で構成し、かつ前記吐出ホースが前記蛇腹状作動筒と接続する部分にユニバーサル方向柔軟管を接続したことを特徴とする浴槽内の風呂水清浄器具。
【請求項２】
前記単一又は複数個を着脱可能な吸入管の先端に切欠状吸入孔を形成したことを特徴とする請求項１記載の浴槽内の風呂水清浄器具。
【考案の詳細な説明】
【技術分野】
【０００１】
本考案は、浴槽内の使用済み風呂水を再使用すべくこの風呂水の中に浴槽内底部付近に滞留する湯垢や汚れ水を除く浴槽内の風呂水清浄器具に関する。
【背景技術】
【０００２】
この種、従来に於いて、浴槽内の風呂水は通常例えば３００リットル程度の相当量を必要としている。この湯量を１日使用するごとに排出するのは水の浪費となるため、使用人数や回数に応じて２〜３日間くらい浴槽内の風呂水を取り替えずに沸かし直して使用することも多い。この場合、一度使用した浴槽内の風呂水には入浴した人体皮膚の新陳代謝による湯垢が発生してこれが浴槽底部に溜まる。
そして、従来の技術としては、図６に示されるように伸縮自在な蛇腹ホース１が導出されており、蛇腹ホース１の先端には吸入ヘッド２が取り付けられており、蛇腹ホース１を伸ばすことで吸入ヘッド２を引き出すことができるようになっている。吸入ヘッド２は筒体３の上部にフロート体４を取り付けて主体が構成されており、フロート体４によって浴用水に浮かせることができるようになっている。筒体３は蛇腹ホース１に連結され、筒体３の上部に、筒体３よりも大径のフィルター受け体５を一体に設けて構成されている。フロート体４の下部より垂設された連結片６とを連結することでフィルター受け体５とフロート体４とを連結固定している。連結片６の上部には吸入口６ａが設けられており、この吸入口６ａは吸入ヘッド２の外部より吸入ヘッド２内に連通している。ここで、吸入口６ａの位置は吸入ヘッド２を浴用水に浮かべた場合に浴用水の水面部分に位置するようになっている。フィルター受け体５には吸入口６ａよりも下方に位置するようにフィルター（図示せず）が取り付けられている。上記吸入ヘッド２を浴槽７内の浴用水又は風呂水８の水面付近にフロート体４を浮かべることで、吸入口６ａより矢印Ｐ１に示すように左右から水面付近が吸引され、空気の吸引と共に水面付近に存在している垢ａは吸入ヘッド２内に吸い込まれて除去されることとなる。
【特許文献１】特開平５−１５５６５号公開特許公報
【考案の開示】
【考案が解決しようとする課題】
【０００３】
従来の技術は、叙上の構成であるので次の課題が存在した。
すなわち、上述した従来の技術によれば、浴槽７内の浴用水８や風呂水の表面付近に配置したフロート体４で該風呂水の湯垢ａを捕捉しかつ集収する技術であり、浴槽７の底部に滞留する湯垢ａを捕集することは困難であった。そのため、使用済みの風呂水や浴用水８の全体を清浄化することができないという問題点があった。
また、風呂水や浴用水８の中の湯垢ａを捕捉する構成要素としてのフロート体４の構造が複雑であり、風呂水や浴用水８を清浄化するための実施化が容易でなく高価な清浄器具になるという問題点があった。
本考案が解決しようとする課題は上記背景技術で述べた問題点を解決することにある。
【課題を解決するための手段】
【０００４】
本考案は、構成が簡素にして操作が容易でありさらに浴槽内の底部に於ける湯垢を捕集可能として低廉な浴槽内の風呂水清浄器具を提供することを目的としたものであって、次の構成、手段から成立する。
請求項１記載の考案によれば、サイホン式手動ポンプの蛇腹状作動筒に接続する吸入管から浴槽内の風呂水に浴槽内底部付近に滞留する湯垢を吸上げて吐出ホースから排出する浴槽内の風呂水清浄器具に於いて、前記吸入管が単一又は複数個を着脱可能な吸入管で構成し、かつ前記吐出ホースが前記蛇腹状作動筒と接続する部分にユニバーサル方向柔軟管を接続したことを特徴とする。
【０００５】
請求項２記載の考案によれば、請求項１記載の考案に於いて、前記単一又は複数個を着脱可能な吸入管の先端に切欠状吸入孔を形成したことを特徴とする。
【考案の効果】
【０００６】
本考案に係る浴槽内の風呂水清浄器具は、叙上の構成を有するので次の効果がある。
【０００７】
すなわち、請求項１記載の考案によれば、サイホン式手動ポンプの蛇腹状作動筒に接続する吸入管から浴槽内の風呂水に浴槽内底部付近に滞留する湯垢を吸上げて吐出ホースから排出する浴槽内の風呂水清浄器具に於いて、前記吸入管が単一又は複数個を着脱可能な吸入管で構成し、かつ前記吐出ホースが前記蛇腹状作動筒と接続する部分にユニバーサル方向柔軟管を接続したことを特徴とする浴槽内の風呂水清浄器具である。
このような構成としたので、構成が簡素にして操作が容易でありさらに浴槽内の底部に於ける湯垢を捕集可能として低廉な浴槽内の風呂水清浄器具を提供できる効果がある。
【０００８】
請求項２記載の考案によれば、前記単一又は複数個を着脱可能な吸入管の先端に切欠状吸入孔を形成したことを特徴とする請求項１記載の浴槽内の風呂水清浄器具である。
このような構成としたので、請求項１記載の考案に加えて、吸入管の先端に於ける切欠状吸入孔によりその部分に於ける湯垢を含んだ風呂水を強力に吸込み可能となり、浴槽の底部のコーナー部分に存在する湯垢を完全に捕集することができるという効果がある。
【考案を実施するための最良の形態】
【０００９】
以下、本考案に係る浴槽内の風呂水清浄器具に於ける実施の形態について添付図面に基づき詳細に説明する。
図１は、本考案に係る浴槽内の風呂水清浄器具の実施の形態を示すものであって、要部を断面した斜視図である。これについて説明し、当該浴槽内の風呂水清浄器具を明らかにする。
【００１０】
９は浴槽内の風呂水清浄器具である。清浄器具９は湯水や湯垢を吸引するサイホン式手動ポンプで構成され、大概すれば浴槽内に溜めている湯水に差入れる吸入管９Ａと、該吸入管９Ａから湯水や湯垢ａを吸上げる蛇腹状作動筒９Ｂと、前記吸入管９Ａの上端部と蛇腹状作動筒９Ｂの下端部との接続部分１０に接続しかつ湯水や湯垢ａを外部に排出する吐出ホース９Ｃとで構成している。該蛇腹状作動筒９Ｂは例えば樹脂材料で表面が一連に凹凸状に形成した袋体で構成され、人の握力により収縮可能に作製されている。該吐出ホース９Ｃには柔軟性金属等で構成したユニバーサル方向柔軟管１１を備え、図１に示すものは前記接続部分１０に接続した構成例を示している。
【００１１】
前記吸入管９Ａは単一の構成又は複数個を接続した構成でなるものであり、図１に示すものは、第１吸入管９１、第２吸入管９２及び第３吸入管９３をそれぞれ接続した構成例である。これら第１ないし第３吸入管９１〜９３は樹脂製材料又は軽金属製材料で構成し、持ち運びに容易な材料や形状を選定して作製する。
そして、該第１ないし第３吸入管９１〜９３の管径長又は内径長はそれぞれ差異を設けて相互を容易に差込みかつねじ込み可能にする。
【００１２】
例えば、図１に示す構成例では、第１吸入管９１の上端９１ａの内径長は第２吸入管９２の下端９２ａの外径長より若干広く設定し、両者を接続容易に構成している。同様に、第３吸入管９３の下端９３ａの内径長は第２吸入管９２の上端９２ｂの外径長より若干広く設定し、両者を接続容易に構成している。
【００１３】
そして、先ず第３吸入管９３の下端９３ａの管内に第２吸入管９２の上端９２ｂの外管を、次に該第２吸入管９２の下端９２ａの外管に第１吸入管９１の上端９１ａの管内に順次差込み組合せる。ほかの連結方法としては、例えば、第１吸入管９の上端９１ａの内径に雌ねじを第２吸入管９２の下端９２ａの外径に雄ねじをそれぞれ刻設し、第１及び第２吸入管９１、９２を互いにねじ込んで連結してもよい。さらに、第２吸入管９２の上端９２ｂの外径に雄ねじを第３吸入管９３の下端９３ａの内径に雌ねじをそれぞれ刻設し、第２及び第３吸入管９２、９３を互いにねじ込んで連結してもよい。
尚、本考案は、吸入管９Ａは上記第１ないし第３吸入管９１〜９３に限定されるものではなく、４個以上又は単一のものでもよい。
【００１４】
また、接続部分１０は例えば筒体であって全体から見れば略Ｔ字型に形成され、前記吸入管９Ａと同材質材料で構成されている。その上端部１０ａは差込み又はねじ込み方法により前記蛇腹状作動筒９Ｂの下端部９４に連結している。また、その下端部１０ｂは差込み又はねじ込み方法により前記第３吸入管９３の上端部９３ｂに連結している。
さらに、その右端部１０ｃは差込み又はねじ込み方法により吐出ホース９Ｃを連結している。該吐出ホース９Ｃには、適宜部位に例えば図１に示す構造のものに於いては、前記接続部分１０の右端部１０ｃに直接にユニバーサル方向柔軟管１１の上端１１ａを差込み又はねじ込み方法で連結する。そして、該ユニバーサル方向柔軟管１１の下端１１ｂを吐出ホース９Ｃの端部に連結・固着する。
図中、１２はキャップであり、蛇腹状作動筒９Ｂの上端部９５に螺合している。そして、該キャップ１２を開放・閉止することにより外気の流通を制御し、浴槽内の湯水や湯垢ａの吸上げをコントロールする。
【００１５】
また、前記接続部分１０の内部例えば、その下端部１０ｂ内及び右端部１０ｃ内には第１及び第２逆止弁１０ｄ、１０ｅを配設し、吸入管９Ａ及び吐出ホース９Ｃからの逆流を防止すべく構成している。
次に、本考案の特異な構成点であるが、前記吸入管９Ａつまり、第１吸入管９１の先端９１ｂには切欠吸入孔９１ｃ、９１ｃをその左右両方に形成し、この部分に於ける湯水や湯垢ａ等の吸込み速度を向上させ、全体としての吸入量を増大するように構成した。
【００１６】
前記ユニバーサル方向柔軟管１１は上、下、左及び右方向自在に可動させ、吐出ホース９Ｃが浴槽内の湯水量又は排水口の部位に応じて方向転換可能に動作するように設定している。例えば図１の構成に於いて矢印Ｌ１方向、つまり該吐出ホース９Ｃを下向きに及び矢印Ｌ２方向、つまり該吐出ホース９Ｃを上向きに設定できる。このとき該ユニバーサル方向柔軟管１１は位置方向を設定した場合、手を放せば自動的に復元するものではなく、設定位置で固定できるように材料を選定して構造を作製している。
【００１７】
次に、本考案に係る浴槽内の風呂水清浄器具の操作手順や動作等を説明する。
図４は、本考案に係る浴槽内の風呂水清浄器具９の使用例を示す要部を断面した側面図である。
浴槽１３内には所定量の湯水１４つまり風呂水が貯留している。この湯水１４つまり風呂水の量は浴槽１３の容積にも左右されるが通常では３００リットル程度を貯留している。人が浴水毎にこの湯水（風呂水）１４をすべて排出すれば、湯沸しのための熱エネルギーや貯留のための水量が極めて増大し、使用者に経済的な負担がかかる。そこで、２〜３回程度の浴水で湯水（風呂水）１４を使用した後に使用済み湯水（風呂水）１４をすべて排出することがある。しかし、浴水を重ねれば人体皮膚の新陳代謝等により浴槽１３内特に内底面１３ａ部分に湯垢ａが滞留する。
【００１８】
そこで、当該浴槽１３内の風呂水清浄器具９の吸入管９Ａ、つまり第１吸入管９１の先端９１ｂを浴槽１３の内底面１３ａ付近まで差込む。そして、ユニバーサル方向柔軟管１１を制御し、吐出ホース９Ｃの方向を設定する。このとき浴室の床面１６の所定位置に設けている排出口１５の位置に適合させる。この排出口１５から吸入管９Ａにより吸上げ湯垢ａ等は外部に排出される。
ところで、浴槽１３内の湯水１４に浸漬している第１吸入管６に於いて、使用者Ｍは片手１７で蛇腹状作動筒９Ｂを把持し、圧縮を繰返すことにより吸引力が発生し湯垢ａ等が第１吸入管９１の先端９１ｂから吸上げられ、第１、第２逆止弁１０ｄ、１０ｅを介して吐出ホース９Ｃより排出される。該吐出ホース９Ｃの先端９６は床面１６の排出口１５に向けられているので、湯垢ａ等は効果的に外部に排出することができる。
【実施例１】
【００１９】
次に本考案に係る浴槽内の風呂水清浄器具の実施例１について説明する。
図２は本考案に係る浴槽内の風呂水清浄器具の実施例１を示すもので、要部を断面した斜視図である。
上記図１に示す浴槽内の風呂水清浄器具との相違点は、特に、吐出ホース９Ｃ１が、ユニバーサル方向柔軟管を設けることなく接続部分１０の右端部１０ｃに直接に連結した構造である。この実施例１によれば、吸入管９Ａと吐出ホース９Ｃ１が形成する角度θが一定であり、該吐出ホース９Ｃ１を下方向又は上方向に可動することができない。しかしこの実施例１はユニバーサル方向柔軟管が無い分だけ、構造が簡素になり全体重量の軽量化が図られ取扱いが容易になるという利点がある。
【００２０】
この実施例１の操作手順や動作等は、図１に示すものと略同一であり同一番号、同一符号を付してその説明を省略する。
【実施例２】
【００２１】
次に本考案に係る浴槽内の風呂水清浄器具の実施例２について説明する。
図３は実施例２に於ける吸入菅９Ａの第１吸入管９１の先端の形状を示しており、（ａ）はその先端の先端面が斜面形状であって、その一部の左、右に切欠吸入孔を形成した斜視図であり、（ｂ）はその先端の先端面が平面形状であって、その一方に切欠吸入孔を形成した斜視図を示している。
【００２２】
実施例２によれば図3（ａ）に示すように吸入菅９Ａ例えば、第１吸入管９１の先端９１ｂの先端面９１ｄを斜面形状に形成し、その前・後又は左・右の一部に切欠吸入孔９１ｅ、９１ｅを形成する。このように構成したので、操作者が蛇腹状作動筒９Ｂを操作したとき浴槽１３内に底部付近に滞留する湯垢ａが流速を上げてこの切欠吸入孔９１ｅ、９１ｅへ流入し、適切に吸上げることができる。
【００２３】
また前・後第１吸入管９１の先端９１ｂの上面にも上記とは別異の又は追加的に別の例えば図５に示すような切欠吸入孔９ｆを形成した構成例でもよい。この構成例では吸入菅９Ａ、つまり、第１吸入管９１の先端９１ｂを例えば浴槽１３の内底面１３ａのコーナ１３ｂに位置付けこのコーナ１３ｂ部分の湯垢ａが矢印Ｐ２方向およびＰ３方向に図５に示すように別の切欠吸入孔９１ｆや先端開口９１ｇの両面から吸込ませ該湯垢ａを完全に除去することが可能となった。
【００２４】
また、第１吸入管９１の先端９１ｂの先端面９２ｈは図３（ｂ）に示すように平面形状とし、この一方に単一又は複数の例えばＵ字状切欠吸入孔９１ｉを形成してもよい。図３（ｂ）に示すものは単一に形成したＵ字状切欠吸入孔９１ｉを示している。このように構成すれば第１吸入管９１の先端９１ｂの先端面９２ｈが浴槽１３の内底面１３ａに安定して当接し、吸上げ操作がし易く、かつ特別な熟練度を必要とせず、浴槽１３の内底面１３ａの付近に滞留する湯垢ａを完全に捕集することが出来る。
【００２５】
この実施例２の操作手順や、動作等は図１に示すものと略同一であり、同一番号、同一符号を付してその説明を省略する。
【図面の簡単な説明】
【００２６】
【図１】本考案に係る浴槽内の風呂水清浄器具に於ける実施の形態を示すものであって、要部を断面した斜視図である。
【図２】本考案に係る浴槽内の風呂水清浄器具に於ける実施例１を示すものであって、要部を断面した斜視図である。
【図３】本考案に係る浴槽内の風呂水清浄器具に於ける実施例２を示すものであって、（ａ）は第１吸入管の先端の先端面が斜面形状を示す斜視図、（ｂ）は第１吸入管の先端の先端面が平面形状を示す斜視図である。
【図４】本考案に係る浴槽内の風呂水清浄器具に於ける操作手順を示す断面図である。断面図である。
【図５】本考案に係る浴槽内の風呂水清浄器具に於いて、吸入菅の先端の上面に切欠吸入孔を形成した場合の湯垢を吸上げる操作を示す断面図である。
【図６】従来技術に於ける浴槽内に設置した湯垢除去装置の例を示す側面図である。
【符号の説明】
【００２７】
９        風呂水清浄器具
９Ａ      風呂水清浄器具の吸入管
９Ｂ      風呂水清浄器具の蛇腹状作動筒
９Ｃ      風呂水清浄器具の吐出ホース
９Ｃ１    風呂水清浄器具の吐出ホース
９１      風呂水清浄器具の第１吸入管
９１ａ    風呂水清浄器具の第１吸入管の上端
９１ｂ    風呂水清浄器具の第１吸入管の先端
９１ｃ    風呂水清浄器具の第１吸入管の切欠吸入孔
９１ｄ    風呂水清浄器具の第１吸入管の先端の先端面
９１ｅ    風呂水清浄器具の第１吸入管の切欠吸入孔
９１ｆ    風呂水清浄器具の第１吸入管の切欠吸入孔
９１ｇ    風呂水清浄器具の第１吸入管の先端の先端開口
９１ｈ    風呂水清浄器具の第１吸入管の先端の先端面
９１ｉ    風呂水清浄器具の第１吸入管のＵ字状切欠孔
９２      風呂水清浄器具の第２吸入管
９２ａ    風呂水清浄器具の第２吸入管の下端
９２ｂ    風呂水清浄器具の第２吸入管の上端
９３      風呂水清浄器具の第３吸入管
９３ａ    風呂水清浄器具の第３吸入管の下端
９３ｂ    風呂水清浄器具の第３吸入管の上端
９４      蛇腹状作動筒の下端部
９５      蛇腹状作動筒の上端部
９６      吐出ホースの先端
１０      風呂水清浄器具の接続部分
１０ａ    風呂水清浄器具の接続部分の上端部
１０ｂ    風呂水清浄器具の接続部分の下端部
１０ｃ    風呂水清浄器具の接続部分の右端部
１０ｄ    第１逆止弁
１０ｅ    第２逆止弁
１１      ユニバーサル方向柔軟管
１１ａ    ユニバーサル方向柔軟管の上端
１１ｂ    ユニバーサル方向柔軟管の下端
１２      風呂水清浄器具のキャップ
１３      浴槽
１３ａ    浴槽の内底面
１３ｂ    浴槽の内底面のコーナ
１４      湯水（風呂水）
１５      排水口
１６      浴室の床面
ａ        湯垢
【図１】
0003136087.tif 000003
【図２】
0003136087.tif 000004
【図３】
0003136087.tif 000005
【図４】
0003136087.tif 000006
【図５】
0003136087.tif 000007
【図６】
0003136087.tif 000008